(57)【要約】【課題】  化石エネルギーの枯渇、排気ガスによる地球温暖化、公害等が軽減出来る。【解決手段】  回転体の上部に、モーターの小さな回転力で、ねじ軸を回転させて、重量物が搬送できることを利用して、重りを回転体に移して、重力を利用して回転させて、エネルギーの供給不要で、動力及び電気が取り出せる。【選択図】      図１
2009085183.tif 000002
【特許請求の範囲】
【請求項１】
回転体に発電機を装備して、発電機から、モーターを介して、ねじ軸に重り搬送器を螺合して装備した、重力を利用した動力発生装置に於いて、回転体に発電機とモーターを装備した事に、特徴のある重力を利用した動力発生装置である。
【請求項２】
重力を利用して、回転体を回転させ、軸からの動力を、電気に変換して、モーターを回転させて、モーターの回転力で、重りを回転体の上部に搬送して、回転体に移して、動力を発生させる方法に於いて、回転体の軸からの動力を、電気に変換して、その電気でモーターを回転させる方法に、特徴のある重力を利用した動力発生方法である。
【発明の詳細な説明】
【技術分野】
【０００１】
本発明は、重力を利用して動力を発生させる装置と方法に関するものである。
【背景技術】
【０００２】
従来のエンジン、モーター等は、外部よりエネルギーを、供給して動力を発生させて取り出していた。
【発明の開示】
【発明が解決しようとする課題】
【０００３】
エンジン、モーター等は、外部よりエネルギーを、供給せずに、動力を取り出す事は不可能であった。
【課題を解決するための手段】
【０００４】
ねじ軸、及び、ナットの小さな回転力で、重量物を搬送できる事は、公知であり、又、摺動部には、摩擦抵抗が小さく、耐磨耗性のある潤滑剤を、コーティングして回転体の軸からの動力を、電気に変換して、モーターの、小さな回転力で、ねじ軸を、回転させて、重量物を搬送する事が出来る為、回転体に、発電機を装備し、発電機から、モーターを、介して、ねじ軸に重り搬送器を螺合して装備し、重りを回転体の上部に搬送して、重力を利用して、回転体を回転させて、軸から動力、及び、電気が、エネルギーの供給不要で、外部に取り出せる。
【発明の効果】
【０００５】
本発明は外部より、エネルギーが、不要な為、化石エネルギーの枯渇、排気ガスによる公害、地球温暖化等が、問題になっている課題が軽減できる。
【発明を実施するための最良の形態】
【０００６】
重り１２を、重り搬送器１１にのせて、重り２０、１５を回転体１の鉤２１、１６に掛けると、回転体１が重力により、回転を始めて、回転体１の軸４にベルト５で接続されている、発電機２を、回転させて発電をし、発電機２とモーター３が、導線で接続され、モーター３から、ベルト６で、ねじ軸１３に接続されて、ねじ軸１３の両端を支持材３１に軸支して重り搬送器１１と制振器１０、１９はねじ軸１３に螺合されて装備されている。
【０００７】
上記回転体１が、回転を始めた為、右回転光電スイッチ２６の、前に、反射板２７が移動してきて、ＯＮになり、モーター３が回転をしてねじ軸１３も右回転をして、重り１２を乗せてある、重り搬送器１１が、ねじ軸１３の下部より上部に、始動すると、制振器１０も、クラッチ３５ａの動力伝達が、ＯＮになっている為、重り搬送器１１と一緒に、始動して電磁石１８の前にくると、ステー３９ａで、スイッチ１７をＯＮにして、電磁石１８を動作させ、磁力を発生させて、クラッチ３５ａを吸着して動力伝達をＯＦＦにして、電磁石１８の前で、停止して、ねじ軸１３と、制振器１０とカバー３０の、隙間が僅かな為、制振される。制振器１０、１９内の、クラッチ３５ａ、３５ｂは、コイルばね３６に、押されてナット４８の、上部にある穴４０に、入っている為、動力伝達が、ＯＮになっている。
【０００８】
制振器１９は、最上部に移動され、ステー３９ｂによりスイッチ２３が、ＯＮになり電磁石２４が動作して、クラッチ３５ｂを、吸着して動力伝達を、ＯＦＦにして電磁石２４の前で停止している。重り搬送器１１が、上部に移動してくると、ステー４２でスイッチ２２をＯＦＦにして、クラッチ３５の動力伝達を、ＯＮにして、回転体１が回転している為、スイッチ２２がＯＦＦになると同時に、反射板２７が右回転光電スイッチ２６から、離れてＯＦＦになり、モーター３が停止して、ねじ軸１３も、停止して、重り搬送器１１も停止する。
【０００９】
回転体１が回転を続けている為、鉤３２が重り搬送器１１に乗っている、重り１２の取っ手１４に入ると、同時に反射板２８が、左回転光電スイッチ２５の前にきてＯＮにしてモーター３が左回転をして、ねじ軸１３も左回転をして重り搬送器１１と制振器１９は動力伝達がＯＮになっている為、下部に移動する、重り１２が回転体１の鉤３２に移され回転を続ける。スイッチ２２からステー４２が離れるため、スイッチ２２はＯＮに、スイッチ２３もステー３９ｂが離れる為、ＯＦＦになり下部に移動する。制振器１９はスイッチ１７が、ステー３９ｂによってＯＮになりクラッチ３５ｂは動力伝達がＯＦＦになり電磁石１８の前で、停止してねじ軸１３を制振する
【００１０】
制振器１０は、最下部に移動して、スイッチ７とクラッチ３５ａが、動作して停止している。重り搬送器１１が、下部移動してくると、ステー４２がスイッチ９をＯＦＦにすると同時に、回転体１が回転を続けている為、反射板２８が、左回転光電スイッチ２５から離れてＯＦＦになり、モーター３が停止し、ねじ軸１３も停止して重り搬送器１１も停止する。
【００１１】
回転体１が回転を続けている為、鉤１６に掛かっている、重り１５が、移動してきて重り搬送器１１に乗せて移動する、回転体１が円の為、鉤１６が左に移動すると下がる事により、スムースに重り１５移動が重り搬送器１１にできる．回転体１の反射板２９が、右回転光電スイッチ２６の、前にきてＯＮにして、モーター３が右回転をし、ねじ軸１３も右回転になり、重り１５の乗っている、重り搬送器１１が上部に搬送を始めると、重り搬送器１１のステー４２が、スイッチ９から離れてＯＮに、スイッチ７は制振器１０のステー３９ａが離れてＯＦＦになり、制振器１０、１９は上下を、重り搬送器１１は重り搬送を、繰り返して回転体１が回転を続けて、軸４からエネルギーの供給不要で、動力、及び、電気が取り出せることを、特徴とする重力を利用した動力発生装置である。
【実施例１】
【００１２】
図７に他の実施例を示す、回転体１から、ねじ軸１３とモーター３を、離して装備し回転体１の、重り搬送台４６と、モーター３を、ロープ４９で、接続して重り１２を重り搬送台４６に乗せて、回転体１の上部に搬送して、回転体１の鉤３１に掛けて、重力を利用して、回転体１を回転させて、軸４より動力が取り出せる事を特徴とする重力を利用した動力発生装置である。この実施例に於いて図７では、ねじ軸は縦であるが、横、斜め、でも良く、又、モーターの回転数を上げてギヤを装着してねじ軸の替りにラックギヤを装備しても良い。
【図面の簡単な説明】
【００１３】
【図１】本件発明の平面図
【図２】制振器
【図３】重り搬送器
【図４】モーターの配線図
【図５】制振器の配線図
【図６】カバーの横断面図
【図７】回転体からモーターと、ねじ軸を、離して装備した平面図
【符号の説明】
【００１４】
１  回転体            １９  制振器              ３６  コイルばね
２  発電機            ２０  重り                ３７  ねじ溝
３  モーター          ２１  鉤                  ３８  ベアリング
４  回転体の軸        ２２  Ｂ接点スイッチ      ３９ａ  制振器１０のステー
５  ベルト            ２３  スイッチ            ３９ｂ  制振器１９のステー
６  ベルト            ２４  電磁石              ４０  穴
７  スイッチ          ２５  光電スイッチ        ４１  ねじ溝
８  電磁石            ２６  光電スイッチ        ４２  ステー
９  Ｂ接点スイッチ    ２７  反射板              ４３  無接点コンタクタ
１０  制振器          ２８  反射板              ４４  無接点コンタクタ
１１  重り搬送器      ２９  反射板              ４５  ガイド
１２  重り            ３０  カバー              ４６  重り搬送台
１３  ねじ軸          ３１  支持材              ４７  モーター支持材
１４  重りの取っ手    ３２  鉤                  ４８  ナット
１５  重り            ３３  重りの取っ手        ４９  ロープ
１６  鉤              ３４  支持材              ５０  ガイド
１７  スイッチ        ３５ａ制振器１０のクラッチ５１  滑車
１８  電磁石          ３５ｂ制振器１９のクラッチ
【図１】
2009085183.tif 000003
【図２】
2009085183.tif 000004
【図３】
2009085183.tif 000005
【図４】
2009085183.tif 000006
【図５】
2009085183.tif 000007
【図６】
2009085183.tif 000008
【図７】
2009085183.tif 000009